(57)【要約】【課題】  ユーザが２チャネルの映像が視聴できるようにするための映像提供方法、これを用いた映像提供装置、ディスプレイ装置及び映像提供システムを提供する。【解決手段】  映像提供方法、そしてこれを用いた映像提供装置、ディスプレイ装置及び映像提供システムが開示される。本映像提供方法は、圧縮されてマルチプレックスされた映像を受信するステップ、圧縮解除するステップ、デマルチプレックシングステップ及び復元された映像を出力するステップを含む。これにより、ディスプレイ装置の製造単価を下げ、軽量化及び小型化を図ることができる。【選択図】      図５
2011087293.tif 000002
【特許請求の範囲】
【請求項１】
第１映像と第２映像とが予め設定された方向に圧縮されてマルチプレックスされた統合映像を受信するステップと、
前記統合映像を圧縮解除するステップと、
前記圧縮解除された統合映像をデマルチプレックシングして前記第１映像と前記第２映像に復元するステップと、
前記復元された第１映像と第２映像とを交互に出力するステップと、
を含む映像提供方法。
【請求項２】
前記統合映像は、前記第１映像と前記第２映像とが水平方向に圧縮された後、マルチプレックスされて生成され、
前記圧縮解除ステップは、前記水平方向に前記統合映像を圧縮解除することを特徴とする請求項１に記載の映像提供方法。
【請求項３】
前記第１映像は、左眼映像及び右眼映像のうちの一つであり、
前記第２映像は、前記左眼映像及び前記右眼映像のうちの残りの一つであり、
前記出力ステップは、左眼グラスと右眼グラスとが交互に開閉されるシャッターグラスの開閉タイミングと同期化されるようにし、復元された左眼映像と右眼映像とを交互に出力することを特徴とする請求項１に記載の映像提供方法。
【請求項４】
前記圧縮解除ステップは、一つの圧縮解除の機能ブロックを用いて前記受信された統合映像を圧縮解除し、
前記復元ステップは、一つのデマルチプレックシングの機能ブロックを用いて前記圧縮解除された統合映像をデマルチプレックシングすることを特徴とする請求項１に記載の映像提供方法。
【請求項５】
２チャネルの圧縮映像を受信するステップと、
前記２チャネルの圧縮映像の圧縮を解除するステップと、
圧縮解除された２チャネルの映像を第１チャネル映像と第２チャネル映像とに分離するステップと、
前記第１チャネル映像と前記第２チャネル映像とを交互に出力するステップと、
を含む映像提供方法。
【請求項６】
第１映像と第２映像とが予め設定された方向に圧縮されてマルチプレックスされた統合映像を受信する受信部と、
前記統合映像を圧縮解除する圧縮解除部と、
前記圧縮解除された統合映像をデマルチプレックシングして前記第１映像と第２映像に復元するデマルチプレックスと、
前記復元された第１映像と第２映像とが交互に出力されるようにする制御部と、
を含む映像提供装置。
【請求項７】
前記統合映像は、前記第１映像と前記第２映像とが水平方向に圧縮された後、マルチプレックスされて生成され、
前記圧縮解除部は、前記水平方向に前記統合映像を圧縮解除することを特徴とする請求項６に記載の映像提供装置。
【請求項８】
前記第１映像は、左眼映像及び右眼映像のうちの一つであり、
前記第２映像は、前記左眼映像及び前記右眼映像のうちの残りの一つであり、
前記制御部は、左眼グラスと右眼グラスとが交互に開閉されるシャッターグラスの開閉タイミングと同期化されるようにし、復元された左眼映像と右眼映像とが交互に出力されるようにすることを特徴とする請求項６に記載の映像提供装置。
【請求項９】
前記圧縮解除部と前記デマルチプレクサは、各々一つの機能ブロックで構成されることを特徴とする請求項６に記載の映像提供装置。
【請求項１０】
２チャネルの圧縮映像を受信する受信部と、
前記２チャネルの圧縮映像の圧縮が解除され、圧縮解除された２チャネルの映像が第１チャネル映像と第２チャネル映像とに分離されるようにする制御部と、
前記第１チャネル映像と前記第２チャネル映像とを交互に出力するディスプレイと、
を含むディスプレイ装置。
【請求項１１】
前記２チャネルの圧縮映像の圧縮を解除するためのデコーダと、
前記圧縮解除された２チャネルの映像を前記第１チャネル映像と前記第２チャネル映像とに分離するためのデマルチプレクサと、
を更に含むことを特徴とする請求項１０に記載のディスプレイ装置。
【請求項１２】
前記２チャネルの圧縮映像は、
前記第１チャネル映像及び前記第２チャネル映像を各々圧縮し、前記圧縮された第１チャネル映像と前記圧縮された第２チャネル映像とをマルチプレックシングした映像とすることを特徴とする請求項１０に記載のディスプレイ装置。
【請求項１３】
第１映像と第２映像とが予め設定された方向に圧縮した後、マルチプレックシングして統合映像を生成し、前記統合映像を外部に転送する映像生成装置と、
前記映像生成装置から前記統合映像を受信して圧縮解除し、前記圧縮解除された統合映像をデマルチプレックシングして前記第１映像と第２映像に復元し、前記復元された第１映像と第２映像とを交互に出力する映像提供装置と、
前記映像提供装置で前記復元された第１映像と第２映像とが交互に出力されるタイミングと同期化されるようにして左眼グラスと右眼グラスとを交互に開閉するシャッターグラスと、
を含む映像提供システム。
【発明の詳細な説明】
【技術分野】
【０００１】
本発明は、映像提供方法、そしてこれを用いた映像提供装置、ディスプレイ装置及び映像提供システムに関し、より詳細には、複数のチャネル映像をユーザに提供するための映像提供方法、そしてこれを用いた映像提供装置、ディスプレイ装置及び映像提供システムに関する。
【背景技術】
【０００２】
３次元立体の映像技術は、情報通信、放送、医療、教育訓練、軍事、ゲーム、アニメーション、仮想現実、ＣＡＤ、産業技術等、その応用分野が非常に多様であり、このような様々な分野において共通して必要とされる次世代３次元立体のマルチメディア情報通信のコア基盤技術といえる。
【０００３】
一般的に、人の知覚する立体感は、観察しようとする物体の位置による水晶体の厚さの変化度合い、両眼と対象物との角度の差、そして左右眼に見える対象物の位置及び形の相違、対象物の運動によって生じる時差、その他に各種心理及び記憶による効果等が複合的に作用して生じる。
【０００４】
その中でも、人の両眼が横方向に約６〜７ｃｍ程離れていることで生じる両眼時差(ｂｉｎｏｃｕｌａｒ  ｄｉｓｐａｒｉｔｙ)は、立体感において最も重要な要因といえる。即ち、両眼時差によって対象物に対する角度の差が生じたままモノを見るようになり、この差によって各々の眼に入ってくるイメージが相互に異なる像を持つようになって、この２つの映像が網膜を通じて脳へと伝達されると、脳はこの２つの情報を正確に融合して本来の３次元の立体映像を感じることができるのである。
【０００５】
立体映像のディスプレイ装置としては、特殊眼鏡を使う眼鏡式と、特殊眼鏡を使わない非眼鏡式に分けられる。眼鏡式は、相互補色関係にある色フィルターを用いて映像を分離選択する色フィルター方式、直交した偏光素子の組み合わせによる遮光効果を用いて左眼と右眼との映像を分離する偏光フィルター方式及び左眼映像信号と右眼映像信号をスクリーンに投射する同期信号に対応して左眼と右眼とを交互に遮断することで、立体感が感じられるようにするシャッターグラス方式が存在する。
【０００６】
この中のシャッターグラス方式は、両眼の時差を用いたディスプレイ方法として、ディスプレイ装置の映像提供と眼鏡の左右両眼のオン−オフを同期化し、各々異なる角度から観察された映像が頭脳作用による空間感を認識させるようにする方式である。
【０００７】
このように、３次元映像をユーザに提供するためには、ディスプレイ装置において左眼映像と右眼映像とが交互にディスプレイされなければならず、圧縮された左眼映像をデコーディングするためのデコーダと圧縮された右眼映像をデコーディングするためのデコーダが別途に存在しなければならない。
【０００８】
これにより、製造単価が上がり、ディスプレイ装置の体積が大きくなり、部品の小型化と軽量化を図ろうとする傾向に沿わなくなるという問題がある。
【先行技術文献】
【特許文献】
【０００９】
【特許文献１】ＫＲ特開１０-２００３-００４２６８７号公報
【特許文献２】ＫＲ特開１０-２００６-０１０９００４号公報
【特許文献３】ＫＲ特開１０-２００５-００８１４１６号公報
【特許文献４】ＫＲ特開１０-２００６-００６７２３８号公報
【発明の概要】
【発明が解決しようとする課題】
【００１０】
本発明は、上記のような問題点を解決すべく案出されたものであり、本発明の目的は、ユーザが２チャネルの映像が視聴できるようにするための映像提供方法、そしてこれを用いた映像提供装置、ディスプレイ装置及び映像提供システムを提供することにある。
【課題を解決するための手段】
【００１１】
前記目的を達成するための本発明の一実施例に係る映像提供方法は、第１映像と第２映像とが予め設定された方向に圧縮されてデマルチプレックスされた統合映像を受信するステップ、前記統合映像を圧縮解除するステップ、前記圧縮解除された統合映像をマルチプレックシングして前記第１映像と第２映像に復元するステップ及び前記復元された第１映像と第２映像とを交互に出力するステップを含む。
【００１２】
ここで、前記統合映像は、前記第１映像と前記第２映像とが水平方向に圧縮された後、マルチプレックスされて生成され、前記圧縮解除ステップは、前記水平方向に前記統合映像を圧縮解除することが望ましい。
【００１３】
尚、前記第１映像は、左眼映像及び右眼映像のうちの一つであり、前記第２映像は、前記左眼映像及び前記右眼映像のうちの残りの一つであり、前記出力ステップは、左眼グラスと右眼グラスとが交互に開閉されるシャッターグラスの開閉タイミングと同期化されるようにし、復元された左眼映像と右眼映像とを交互に出力することができる。
【００１４】
そして、前記圧縮解除ステップは、一つの圧縮解除の機能ブロックを用いて前記受信された統合映像を圧縮解除し、前記復元ステップは、一つのデマルチプレックシングの機能ブロックを用いて前記圧縮解除された統合映像をデマルチプレックシングすることができる。
【００１５】
尚、前記目的を達成するための本発明の一実施例に係る映像提供方法は、２チャネルの圧縮映像を受信するステップ、前記２チャネルの圧縮映像の圧縮を解除するステップ、圧縮解除された２チャネルの映像を第１チャネル映像と第２チャネル映像とに分離するステップ及び前記第１チャネル映像と前記第２チャネル映像とを交互に出力するステップを含む。
【００１６】
そして、前記目的を達成するための本発明の一実施例に係る映像提供装置は、第１映像と第２映像とが予め設定された方向に圧縮されてマルチプレックスされた統合映像を受信する受信部、前記統合映像を圧縮解除する圧縮解除部、前記圧縮解除された統合映像をデマルチプレックシングして前記第１映像と第２映像に復元するデマルチプレックス及び前記復元された第１映像と第２映像とが交互に出力されるようにする制御部を含む。
【００１７】
尚、前記統合映像は、前記第１映像と前記第２映像とが水平方向に圧縮された後、マルチプレックスされて生成され、前記圧縮解除部は、前記水平方向に前記統合映像を圧縮解除することができる。
【００１８】
そして、前記第１映像は、左眼映像及び右眼映像のうちの一つであり、前記第２映像は、前記左眼映像及び前記右眼映像のうちの残りの一つであり、前記制御部は、左眼グラスと右眼グラスとが交互に開閉されるシャッターグラスの開閉タイミングと同期化されるようにし、復元された左眼映像と右眼映像とが交互に出力されるようにすることができる。
【００１９】
尚、前記圧縮解除部と前記デマルチプレクサは、各々一つの機能ブロックで構成されるようにすることができる。
【００２０】
そして、前記目的を達成するための本発明の一実施例に係るディスプレイ装置は、２チャネルの圧縮映像を受信する受信部、前記２チャネルの圧縮映像の圧縮が解除され、圧縮解除された２チャネルの映像が第１チャネル映像と第２チャネル映像とに分離されるようにする制御部及び前記第１チャネル映像と前記第２チャネル映像とを交互に出力するディスプレイを含む。
【００２１】
尚、本実施例に係るディスプレイ装置は、前記２チャネルの圧縮映像の圧縮を解除するためのデコーダ及び前記圧縮解除された２チャネルの映像を前記第１チャネル映像と前記第２チャネル映像とに分離するためのデマルチプレクサを更に含むことができる。
【００２２】
そして、前記２チャネルの圧縮映像は、前記第１チャネル映像及び前記第２チャネル映像を各々圧縮し、前記圧縮された第１チャネル映像と前記圧縮された第２チャネル映像とをマルチプレックシングした映像としても良い。
【００２３】
一方、前記目的を達成するための本発明の一実施例に係る映像提供システムは、第１映像と第２映像とが予め設定された方向に圧縮した後、マルチプレックシングして統合映像を生成し、前記統合映像を外部に転送する映像生成装置、前記映像生成装置から前記統合映像を受信して圧縮解除し、前記圧縮解除された統合映像をデマルチプレックシングして前記第１映像と第２映像に復元し、前記復元された第１映像と第２映像とを交互に出力する映像提供装置及び前記映像提供装置で前記復元された第１映像と第２映像とが交互に出力されるタイミングと同期化されるようにして左眼グラスと右眼グラスとを交互に開閉するシャッターグラスを含む。
【図面の簡単な説明】
【００２４】
【図１】本発明に係る３次元の立体映像を提供するための映像提供システムを示した図である。
【図２】映像生成装置に対する具体的な構成を示したブロック図である。
【図３】映像生成装置の各機能ブロックで映像が生成されて処理される様子を示した図である。
【図４】ディスプレイ装置に対する具体的な構成を示したブロック図である。
【図５】ディスプレイ装置の各機能ブロックで映像が生成されて処理される様子を示した図である。
【図６】シャッターグラスに対する具体的な構成を示したブロック図である。
【図７】本発明の一実施例に係る映像提供方法を説明するためのフローチャートである。
【発明を実施するための形態】
【００２５】
以下では、図面を参照して本発明をより詳細に説明する。
【００２６】
図１は、本発明に係る３次元の立体映像を提供するための映像提供システムを示した図である。図１に示されたように、映像提供システムは、立体映像を生成して転送する映像生成装置１００、立体映像をユーザに提供するディスプレイ装置２００及び立体映像を視聴するためのシャッターグラス３００で構成される。
【００２７】
映像生成装置１００は、国営、民営又は個人放送局において放送を生成するために使われる装置として、３次元映像に対する視聴権限を有するユーザに３次元映像を提供するために、２チャネルの映像、即ち、左眼映像と右眼映像とを統合した統合映像を生成してディスプレイ装置２００に転送する。
【００２８】
このような映像生成装置１００に対する内容が図２及び図３に示されている。
【００２９】
図２は、映像生成装置１００に対する具体的な構成を示したブロック図であり、図３は、映像生成装置１００の各機能ブロックで映像が生成されて処理される様子を示した図である。
【００３０】
映像生成装置１００は、左眼映像生成部１１０、左眼映像圧縮部１２０、右眼映像生成部１３０、右眼映像圧縮部１４０及びマルチプレクサ１５０を含む。
【００３１】
左眼映像生成部１１０は、第１チャネル映像として左眼映像を生成し、右眼映像生成部１３０は、第２チャネル映像として右眼映像を生成する。
【００３２】
前述のように、左眼映像と右眼映像は、短い周期で交互にユーザに提供され、ユーザは左眼映像と右眼映像との融合による両眼時差(ｂｉｎｏｃｕｌａｒ  ｄｉｓｐａｒｉｔｙ)によって映像の立体感を感じられるようになる。
【００３３】
これのために、左眼映像生成部１１０で生成される左眼映像と、右眼映像生成部１３０で生成される右眼映像は、相互に融合される場合立体感が付与されなければならないということが考慮されて生成される。
【００３４】
このような内容が、図３の参照番号１１１及び１３１に示されている。図３の参照番号１１１は、左眼映像生成部１１０で生成された左眼映像１１１であり、参照番号１３１は、右眼映像生成部１３０で生成された右眼映像１３１である。
【００３５】
左眼映像生成部１１０は、生成された左眼映像を左眼映像圧縮部１２０に伝達し、右眼映像生成部１３０は、生成された右眼映像を右眼映像圧縮部１４０に伝達する。
【００３６】
左眼映像圧縮部１２０は左眼映像生成部１１０から受信された左眼映像をＨ(Ｈｏｒｉｚｏｎｔａｌ)方向に圧縮し、右眼映像圧縮部１４０も右眼映像生成部１３０から受信された右眼映像をＨ方向に圧縮する。
【００３７】
このような内容が、図３の参照番号１２１及び１４１に示されている。左眼映像生成部１１０で生成された映像の解像度が１９２０＊１０８０である場合、左眼映像圧縮部１２０はこのような左眼映像をＨ方向に圧縮し、９６０＊１０８０の解像度を持つ左眼圧縮映像１２１を生成するようになる。尚、右眼映像生成部１３０で生成された映像の解像度が１９２０＊１０８０である場合、右眼映像圧縮部１４０はこのような右眼映像をＨ方向に圧縮し、９６０＊１０８０の解像度を持つ右眼圧縮映像１４１を生成するようになる。
【００３８】
左眼映像圧縮部１２０と右眼映像圧縮部１４０で圧縮されて生成された左眼圧縮映像１２１と右眼圧縮映像１４１は、マルチプレクサ１５０に伝達される。
【００３９】
マルチプレクサ１５０は、２チャネルの映像が一つのチャネルを通じて転送されることができるように、左眼圧縮映像１２１と右眼圧縮映像１４１とを統合する。特に、マルチプレクサ１５０は、左眼映像圧縮部１２０と右眼映像圧縮部１４０で左眼映像１１１と右眼映像１３１を圧縮したＨ方向に沿って、両チャネルの映像を統合する。
【００４０】
これにより、図３に示されたように、左眼圧縮映像１２１と右眼圧縮映像１４１とが統合された統合映像１５１が生成され、統合映像１５１は、左眼圧縮映像１２１の解像度と右眼圧縮映像１４１の解像度とをＨ方向に統合した１９２０＊１０８０になる。
【００４１】
再び図１について説明をすると、映像生成装置１００は、生成された統合映像１５１をディスプレイ装置２００に伝達する。
【００４２】
ディスプレイ装置２００は、放送局において提供する３次元映像に対する視聴権限のある主体として、放送局の映像生成装置１００から伝達された統合映像１５１を処理し、ユーザが視聴可能な３次元映像を生成して出力する。
【００４３】
このようなディスプレイ装置２００に対する内容が、図４及び図５に示されている。
【００４４】
図４は、ディスプレイ装置２００に対する具体的な構成を示したブロック図であり、図５は、ディスプレイ装置２００の各機能ブロックで映像が生成されて処理される様子を示した図である。
【００４５】
図４を参照すれば、ディスプレイ装置２００は、映像受信部２１０、圧縮解除部２２０、デマルチプレクサ２３０、ディスプレイ２４０、保存部２５０、制御部２６０、ＩＲ転送部２７０及びユーザ命令入力部２８０を備える。
【００４６】
映像受信部２１０は、ユーザの操作に従って複数の放送局から提供される諸放送のうち１つを選局し、３次元映像に対する放送が選局された場合、該当放送を提供する放送局の映像生成装置１００から２チャネルの映像が統合された統合映像を受信する。映像生成装置１００から受信された統合映像が図５の参照番号２１１に示されている。ディスプレイ装置２００で受信した統合映像２１１は、映像生成装置１００で転送した統合映像１５１と同一であり、以下では、統合映像２１１として記述する。
【００４７】
映像受信部２１０は、受信された統合映像２１１を圧縮解除部２２０に伝達する。
【００４８】
圧縮解除部２２０は、統合映像２１１に対する圧縮を解除する。具体的に、圧縮解除部２２０は、Ｈ方向に圧縮された統合映像２１１をＨ方向に圧縮解除する。これにより、１９２０＊１０８０の解像度を持つ統合映像２１１は、３８４０＊１０８０の解像度を持つ映像２２１に変換される。
【００４９】
圧縮解除部２２０は、圧縮が解除されて３８４０＊１０８０の解像度を持つ映像をデマルチプレクサ２３０に転送し、圧縮解除部２２０からデマルチプレクサ２３０に転送された映像は、デマルチプレックシングされず圧縮のみが解除された映像であるため、デマルチプレクサ２３０はこれを左眼映像と右眼映像とに分離する。
【００５０】
図５には、圧縮解除された映像２２１がデマルチプレクサ２３０によって左眼映像２３１と右眼映像２３２とに分離され、ディスプレイ２４０に各々伝達された様子が示されている。即ち、デマルチプレクサ２３０によって、３８４０＊１０８０の解像度を持つ圧縮解除された映像２２１は、１９２０＊１０８０の解像度を持つ左眼映像２３１と１９２０＊１０８０の解像度を持つ右眼映像２３２とに分離されてディスプレイ２４０に伝達されるようになる。
【００５１】
特に、デマルチプレクサ２３０は、分離された左眼映像２３１と右眼映像２３２が同時にディスプレイ２４０に伝達されないようにし、制御部２６０の制御下で、左眼映像２３１と右眼映像２３２とがディスプレイ２４０に交互に伝達されるようにし、シャッターグラス３００を着用したユーザが３次元の立体映像が視聴できるようにする。
【００５２】
このように、ディスプレイ装置２００は、圧縮解除及びデマルチプレックシングのような映像処理を行うことから映像処理装置と称されることもでき、映像処理を通じて３次元の立体映像をユーザに提供することから映像提供装置と称されることもできる。
【００５３】
ディスプレイ２４０は、デマルチプレクサ２３０から交互に伝達される左眼映像と右眼映像を出力する。
【００５４】
保存部２５０は、ディスプレイ装置２００の全般を動作させるためのプログラム等を保存するための手段として、ＨＤＤ、メモリー等で実現できる。
【００５５】
ＩＲ転送部２７０は、ディスプレイ２４０から出力される左眼映像及び右眼映像と同期された赤外線の同期信号を生成し、生成された同期信号を外部に伝達する。これにより、ユーザが着用したシャッターグラス３００の左眼グラスと右眼グラスとが、受信された同期信号に基づいて交互に開閉され、ユーザの左眼と右眼に左眼映像と右眼映像を各々提供できるようになる。
【００５６】
ユーザ命令入力部２８０は、リモコン(図示せず)等を通じてディスプレイ装置２００を操作するためのユーザ命令を受信し、これを制御部２６０に伝達し、制御部２６０は受信されたユーザ命令に従ってディスプレイ装置２００の全般を制御する。
【００５７】
特に、制御部２６０は、圧縮解除部２２０を制御し、映像受信部２１０を介して受信された統合映像２１１が圧縮解除されるようにする。尚、制御部２６０は、デマルチプレクサ２３０を制御して圧縮解除された映像２２１が左眼映像２３１と右眼映像２３２とに分離され、分離された左眼映像２３１と右眼映像２３２とが交互にディスプレイ２４０に表示されるようにする。そして、制御部２６０は、左眼映像２３１と右眼映像２３２がディスプレイ２４０に表示されるタイミングと同期されるようにする同期信号がＩＲ転送部２７０を介して外部に転送されるようにする。
【００５８】
再び図１について説明をすると、ディスプレイ装置２００は、左眼映像２３１及び右眼映像２３２を出力し、同期信号をシャッターグラス３００に伝達する。
【００５９】
シャッターグラス３００は、ディスプレイ装置２００から同期信号を受信し、ディスプレイ装置２００で左眼映像２３１及び右眼映像２３２が出力されるタイミングと同期されるようにし、左眼グラスと右眼グラスとを交互に開閉する。
【００６０】
このようなシャッターグラス３００に対する説明が図６に示されている。
【００６１】
図６は、シャッターグラス３００に対する具体的な構成を示したブロック図である。
【００６２】
シャッターグラス３００は、ＩＲ受信部３１０、制御部３２０及びグラス部３３０を備える。
【００６３】
ＩＲ受信部３１０は、ディスプレイ装置２００のＩＲ転送部２７０から３次元の立体映像に対する同期信号を受信する。即ち、ＩＲ転送部２７０は直進性を有する赤外線を用いて同期信号を放射し、ＩＲ受信部３１０は放射された赤外線から同期信号を受信する。ＩＲ受信部３１０は、ＩＲ転送部２７０から受信された同期信号を制御部３２０に伝達する。
【００６４】
グラス部３３０は、左眼映像を受信するための左眼グラス３３１と右眼映像を受信するための右眼グラス３３２とで構成される。即ち、ディスプレイ装置２００で左眼映像が出力されるタイミングでは、左眼グラス３３１がオープンされて右眼グラス３３２がクローズされ、左眼グラス３３１を介してユーザの眼に左眼映像が入力されるようになり、ディスプレイ装置２００で右眼映像が出力されるタイミングでは、右眼グラス３３２がオープンされて左眼グラス３３１がクローズされ、右眼グラス３３２を介してユーザの眼に左眼映像が入力されるようになる。
【００６５】
制御部３２０は、シャッターグラス３００の全般に対する動作を制御する。特に、制御部３２０はＩＲ受信部３１０で受信された同期信号に基づいて、左眼グラス３３１と右眼グラス３３２とが交互に開閉されるようにする。
【００６６】
図７は、本発明の一実施例に係る映像提供方法を説明するためのフローチャートである。前述のように、放送局等に設けられた映像生成装置１００は、左眼映像と右眼映像を各々生成し(Ｓ４１０)、生成された左眼映像と右眼映像を各々圧縮する(Ｓ４２０)。この場合、圧縮は前述のように、Ｈ方向の圧縮でも良いが、Ｖ方向の圧縮等の他の圧縮方法も使われることができる。
【００６７】
映像生成装置１００は、圧縮された左眼映像と圧縮された右眼映像をマルチプレックシングして統合映像を生成し(Ｓ４３０)、生成された統合映像をディスプレイ装置２００に転送する(Ｓ４４０)。
【００６８】
ディスプレイ装置２００は受信された統合映像の圧縮を解除し(Ｓ４５０)、圧縮解除された統合映像をデマルチプレックシングする(Ｓ４６０)。
【００６９】
尚、ディスプレイ装置２００は、デマルチプレックシングされた映像のうちの左眼映像と右眼映像とがディスプレイ２４０を介して交互に出力されるようにし、これとともに、左眼映像及び右眼映像が出力されるタイミングと同期された同期信号であるＩＲ信号をシャッターグラス３００に伝達する。
【００７０】
シャッターグラス３００は、受信されたＩＲ信号に基づいて左眼グラスと右眼グラスとを交互に開閉し、左眼映像と右眼映像とがユーザの左眼と右眼に交互に入力されるようにする。
【００７１】
このように、両チャネルの映像が圧縮されてマルチプレックシングされ受信された場合、デマルチプレックシングの以前に圧縮を解除することにより、両チャネルの映像に対する復元のために、圧縮解除のための機能ブロックを１つのみ備えるようにできることから、ディスプレイ装置の製造単価を下げ、軽量化及び小型化を図ることができるようになる。
【００７２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７３】
１００  映像生成装置
２００  映像提供装置
３００  シャッターグラス
２１０  映像受信部
２２０  圧縮解除部
２３０  デマルチプレクサ
２４０  ディスプレイ
２５０  保存部
２６０  制御部
２７０  ＩＲ転送部
２８０  ユーザ命令入力部
【図１】
2011087293.tif 000003
【図２】
2011087293.tif 000004
【図３】
2011087293.tif 000005
【図４】
2011087293.tif 000006
【図５】
2011087293.tif 000007
【図６】
2011087293.tif 000008
【図７】
2011087293.tif 000009